(57)【要約】【課題】マルチディスプレイ表示システムを用い、映像信号を複数のディスプレイに配信し表示する場合において、ディスプレイに映像信号送信インタフェースを持つ必要なく、ユーザの操作の必要なく、マルチディスプレイの表示を整列するシステムを提供する。【解決手段】映像出力インタフェースから特定の映像信号を出力し、映像信号を受信した映像表示装置は、受信した映像信号を表すデータと映像出力装置の識別番号を含むコマンドを映像信号出力装置に送信する。受信したコマンドより映像信号出力装置は、映像出力インタフェースと接続している映像出力装置の識別番号との関係を認識し、その関係に従い映像信号の出力を行うことにより、表示マルチディスプレイの表示を整列する。【選択図】図１
2006189637.tif 000002
【特許請求の範囲】
【請求項１】
映像信号出力装置と複数の映像表示装置が接続した表示システムにおいて、複数の映像信号出力インタフェースと、映像配信コントロール手段と、映像信号出力インタフェースと映像表示装置の接続関係認識手段とを有することを特徴とする映像信号出力装置。
【請求項２】
前記映像配信コントロール手段は、特定の映像信号出力インタフェースに特定の映像信号を出力する手段と、特定の映像信号出力インタフェースの映像信号を停止する手段とを有することを特徴とする請求項１記載の映像信号出力装置。
【請求項３】
映像信号出力インタフェースと映像表示装置の接続関係認識手段は、映像信号出力インタフェースと接続している映像表示装置の識別番号を判別する手段と、その関係を記憶する手段とを有することを特徴とする請求項１記載の映像信号出力装置。
【請求項４】
映像信号出力装置と複数の映像表示装置が接続した表示システムにおいて、映像信号受信インタフェースと、データ出力インタフェースと、映像認識手段と、映像表示装置の識別番号を設定する手段と、認識した映像信号を示すデータと映像表示装置の識別番号を含むコマンド作成手段とを有することを特徴とする映像表示装置。
【請求項５】
前記映像認識手段は、映像信号の有無を判断する手段、又は映像信号の解像度を判別する手段、或は映像信号が特定の映像であるか判断する手段を有することを特徴とする請求項４記載の映像表示装置。
【発明の詳細な説明】
【技術分野】
【０００１】
本発明は、マルチディスプレイ表示システムにおける表示整列方法に関する。
【背景技術】
【０００２】
映像信号を複数のディスプレイに配信し表示するマルチディスプレイ表示システムにおいて、ディスプレイの配置と表示が適切でないケーブルの接続を行ってしまうことがある。このような場合、表示した後にケーブルの接続を変更する作業や、ユーザが表示を確認しながら、映像出力を変更する作業が必要である。
【０００３】
以上のような問題を解決する方法として、ディスプレイをデイジーチェーン接続し、1 台のリモコンでデイジーチェーン接続したディスプレイの設定を行い、マルチディスプレイの設定操作を簡単にしたものがある（特許文献１参照）。
【０００４】
【特許文献１】特開２００３−３１９２９０号公報
【発明の開示】
【発明が解決しようとする課題】
【０００５】
しかしながら、上記従来例では、以下のような問題があった。
【０００６】
・ディスプレイに映像信号受信インタフェースと映像信号送信インタフェースを持たなければならなかった。
【０００７】
・ユーザがリモコンを用い、マルチディスプレイの表示を整列するように設定する必要がある。
【０００８】
本発明は、ディスプレイに映像信号送信インタフェースを持つ必要がなく、且つ、ユーザの操作の必要なく、マルチディスプレイの表示を整列することを目的とする。
【課題を解決するための手段】
【０００９】
上記目的を達成するため、本発明は、映像信号出力装置と複数の映像表示装置が接続した表示システムにおいて、複数の映像信号出力インタフェースと、映像配信コントロール手段と、映像信号出力インタフェースと映像表示装置の接続関係認識手段とを有することを特徴とする。
【００１０】
又、本発明は、映像信号出力装置と複数の映像表示装置が接続した表示システムにおいて、映像信号受信インタフェースと、データ出力インタフェースと、映像認識手段と、映像表示装置の識別番号を設定する手段と、認識した映像信号を示すデータと映像表示装置の識別番号を含むコマンド作成手段とを有することを特徴とする。
【発明の効果】
【００１１】
本発明によれば、ディスプレイに映像信号送信インタフェースを持つ必要なく、且つ、ユーザの操作の必要なく、マルチディスプレイの表示を整列することができるという効果が得られる。
【発明を実施するための最良の形態】
【００１２】
以下に本発明の実施の形態を添付図面に基づいて説明する。
【００１３】
＜実施の形態１＞
図１は本発明を適用したマルチディスプレイシステムの構成図である。
【００１４】
図１において、１０１はパソコン、１０２，１０３，１０４はディスプレイ、１０５，１０６，１０７は映像信号出力インタフェース、１０８は映像配信コントロール手段であり、インタフェース１０５，１０６，１０７にどの信号を出力するか制御する。
【００１５】
又、１０９は映像信号出力インタフェースと映像表示装置の接続関係認識手段であり、インタフェース１０５，１０６，１０７とディスプレイ１０２，１０３，１０４の接続関係を判断する。
【００１６】
１１０は映像信号認識手段であり、映像信号の有無を判断する。１１１はコマンド作成手段、１１２はディスプレイの識別番号を格納するメモリ、１１３は映像信号受信インタフェース、１１４はデータ出力インタフェース、１１５はデータ受信インタフェースである。
【００１７】
ここで、ディスプレイには識別番号が左から順に設定されており、１０２に識別番号１、１０３に識別番号２、１０４に識別番号３が設定されているものとする。
【００１８】
図２は本発明を適用し、マルチディスプレイの表示を整列する方法をフローチャートで示したものである。
【００１９】
マルチディスプレイの表示を整列するモードになった場合、先ず２０１により、最初に出力する映像信号出力インタフェースを指定する。ここでは、１０５とする。
【００２０】
次に、２０２により、１０５に映像信号を出力し、１０６，１０７の映像信号を停止する。
【００２１】
次に、２０３により、映像信号を受信した１０３はディスプレイ識別番号２を含んだコマンドを１０１に送信する。
【００２２】
次に、２０４により、１０９の手段で１０５はディスプレイ識別番号２のディスプレイに接続していることをメモリに保存する。
【００２３】
次に、２０５により、全ての映像信号出力インタフェースから映像信号を出力したかを判断する。このとき、未だ１０６，１０７から出力していないので、ＮＯとなる。
【００２４】
次に、２０６により、次に出力する映像信号出力インタフェースを１０６と指定する。次に、２０２により、１０６に映像信号を出力し、１０５，１０７の映像信号を停止する。
【００２５】
次に、２０３により、映像信号を受信した１０４はディスプレイ識別番号３を含んだコマンドを１０１に送信する。
【００２６】
次に、２０４により、１０９の手段で１０６はディスプレイ識別番号３のディスプレイに接続していることをメモリに保存する。
【００２７】
次に、２０５により、全てすべての映像信号出力インタフェースから映像信号を出力したかを判断する。このときまだ１０７から出力していないので、ＮＯとなる。
【００２８】
次に、２０６により、次に出力する映像信号出力インタフェースを１０７と指定する。
【００２９】
次に、２０２により、１０７に映像信号を出力し、１０５，１０６の映像信号を停止する。
【００３０】
次に、２０３により、映像信号を受信した１０２はディスプレイ識別番号１を含んだコマンドを１０１に送信する。
【００３１】
次に、２０４により、１０９の手段で１０７はディスプレイ識別番号１のディスプレイに接続していることをメモリに保存する。
【００３２】
次に、２０５により、全ての映像信号出力インタフェースから映像信号を出力したかを判断する。このとき、映像信号出力インタフェースから映像信号を出力したので、ＹＥＳとなる。
【００３３】
次に、２０７により、映像信号出力インタフェースとディスプレイ識別番号の接続関係に従い映像配信コントロール手段は映像を出力する。ここでは、ディスプレイ識別番号１に接続している１０７に映像の左３分の１の映像信号を出力する。又、ディスプレイ識別番号２に接続している１０５に映像の中央３分の1 の映像信号を出力する。又、ディスプレイ識別番号３に接続している１０６に映像の右３分の１の映像信号を出力する。
以上により、図５のようにマルチディスプレイの表示を整列することができる。
【００３４】
ここでは、１０２，１０３，１０４の３台が接続した例を示したが、３台に限定するものではない。又、１０２，１０３，１０４がデイジーチェーン接続した例を示したが、１０２，１０３，１０４が直接１０１と接続しても識別番号を含んだコマンドを１０１に送信できれば構わない。
【００３５】
又、１０２，１０３，１０４が左から順に並んでいる場合を示したが、並び方はこれに限定するものではない。
【００３６】
又、出力する映像信号出力インタフェースを１つ指定するのではなく、出力しない映像信号出力インタフェースを１つ指定し、映像信号が無いディスプレイが識別番号を含んだコマンドを１０１に送信しても構わない。
【００３７】
＜実施の形態２＞
図１は本発明を適用したマルチディスプレイシステムの構成図である。
【００３８】
図１において、１０１はパソコン、１０２，１０３，１０４はディスプレイ、１０５，１０６，１０７は映像信号出力インタフェースである。
【００３９】
１０８は映像配信コントロール手段であり、映像信号出力インタフェース１０５，１０６，１０７のインタフェースにどの信号を出力するか制御する。
【００４０】
１０９は映像信号出力インタフェースと映像表示装置の接続関係認識手段であり、映像信号出力インタフェース１０５，１０６，１０７とディスプレイ１０２，１０３，１０４の接続関係を判断する。
【００４１】
１１０は映像信号認識手段であり、映像信号の有無を判断する。１１１はコマンド作成
手段、１１２はディスプレイの識別番号を格納するメモリ、１１３は映像信号受信インタフェース、１１４はデータ出力インタフェース、１１５はデータ受信インタフェースである。
【００４２】
ここで、ディスプレイには識別番号が左から順に設定されており、１０２に識別番号１、１０３に識別番号２、１０４に識別番号３が設定されているものとする。
【００４３】
図３は本発明を適用し、マルチディスプレイの表示を整列する方法をフローチャートで示したものである。
【００４４】
マルチディスプレイの表示を整列するモードになった場合、先ず３０１により、１０５，１０６，１０７からそれぞれ異なる解像度を持つ映像信号を出力する。ここでは、１０５から６４０＊４８０（６０Ｈｚ）を出力し、１０６から８００＊６００（６０Ｈｚ）を出力し、１０７から１０２４＊７６８（６０Ｈｚ）を出力する。
【００４５】
次に、３０２により、映像信号を受信した１０２，１０３，１０４は、ディスプレイ識別番号と受信した解像度を示す番号を含んだコマンドを１０１に送信する。
【００４６】
ここでは、６４０＊４８０（６０Ｈｚ）示す番号を１、８００＊６００（６０Ｈｚ）を示す番号を２、１０２４＊７６８（６０Ｈｚ）を示す番号を３とする。
【００４７】
そのため、１０２はディスプレイ識別番号１と解像度番号３を含んだコマンドを１０１に送信する。１０３はディスプレイ識別番号２と解像度番号１を含んだコマンドを１０１に送信する。１０４はディスプレイ識別番号３と解像度番号２を含んだコマンドを１０１に送信する。
【００４８】
次に、３０３により、１０９は受信したディスプレイ識別番号と解像度番号を基に、映像信号出力インタフェースとディスプレイ識別番号の接続関係を作成する。ここでは、ディスプレイ識別番号１と１０７、ディスプレイ識別番号２と１０５、ディスプレイ識別番号３と１０６が接続していることが分かる。
【００４９】
次に、３０４により、映像信号出力インタフェースとディスプレイ識別番号の接続関係に従い映像配信コントロール手段は映像を出力する。ここでは、ディスプレイ識別番号１に接続している１０７に映像の左３分の１の映像信号を出力する。又、ディスプレイ識別番号２に接続している１０５に映像の中央３分の１の映像信号を出力する。又、ディスプレイ識別番号３に接続している１０６に映像の右３分の１の映像信号を出力する。
【００５０】
以上により、図５のようにマルチディスプレイの表示を整列することができる。
ここでは、１０２，１０３，１０４の３台が接続した例を示したが、３台に限定するものではない。又、１０２，１０３，１０４がデイジーチェーン接続した例を示したが、１０２，１０３，１０４が直接１０１と接続しても識別番号を含んだコマンドを１０１に送信できれば構わない。
【００５１】
又、１０２，１０３，１０４が左から順に並んでいる場合を示したが、並び方はこれに限定するものではない。
【００５２】
又、１０５，１０６，１０７に同時に映像信号を出力している例を示したが、同時でなくても構わない。
【００５３】
又、解像度を示す番号を６４０＊４８０（６０Ｈｚ）示す番号を１、８００＊６００（６０Ｈｚ）を示す番号を２、１０２４＊７６８（６０Ｈｚ）を示す番号を３としたがこれに限定するものではない。
【００５４】
＜実施の形態３＞
図１は本発明を適用したマルチディスプレイシステムの構成図である。
【００５５】
図１において、１０１はパソコン、１０２，１０３，１０４はディスプレイ、１０５，１０６，１０７は映像信号出力インタフェースである。
【００５６】
１０８は映像配信コントロール手段であり、映像信号出力インタフェース１０５，１０６，１０７にどの信号を出力するか制御する。
【００５７】
１０９は映像信号出力インタフェースと映像表示装置の接続関係認識手段であり、映像信号出力インタフェース１０５，１０６，１０７とディスプレイ１０２，１０３，１０４の接続関係を判断する。
【００５８】
１１０は映像信号認識手段であり、映像信号の有無を判断する。１１１はコマンド作成手段、１１２はディスプレイの識別番号を格納するメモリ、１１３は映像信号受信インタフェース、１１４はデータ出力インタフェース、１１５はデータ受信インタフェースである。
【００５９】
ここで、ディスプレイには識別番号が左から順に設定されており、１０２に識別番号１、１０３に識別番号２、１０４に識別番号３が設定されているものとする。
【００６０】
図４は本発明を適用し、マルチディスプレイの表示を整列する方法をフローチャートで示したものである。
【００６１】
マルチディスプレイの表示を整列するモードになった場合、先ず４０１により、１０５，１０６，１０７からそれぞれ異なる映像の映像信号を出力する。ここでは、１０５から映像１を出力し、１０６から映像２を出力し、１０７から映像３を出力する。
【００６２】
次に、４０２により、映像信号を受信した１０２，１０３，１０４は、ディスプレイ識別番号と受信した映像番号を含んだコマンドを１０１に送信する。
【００６３】
ここでは、１０２はディスプレイ識別番号１と映像番号３を含んだコマンドを１０１に送信する。１０３はディスプレイ識別番号２と映像番号１を含んだコマンドを１０１に送信する。１０４はディスプレイ識別番号３と映像番号２を含んだコマンドを１０１に送信する。
【００６４】
次に、４０３により、１０９は受信したディスプレイ識別番号と映像番号を基に、映像信号出力インタフェースとディスプレイ識別番号の接続関係を作成する。ここでは、ディスプレイ識別番号１と１０７、ディスプレイ識別番号２と１０５、ディスプレイ識別番号３と１０６が接続していることが分かる。
【００６５】
次に、４０４により、映像信号出力インタフェースとディスプレイ識別番号の接続関係に従い映像配信コントロール手段は映像を出力する。ここでは、ディスプレイ識別番号１に接続している１０７に映像の左３分の１の映像信号を出力する。又、ディスプレイ識別番号２に接続している１０５に映像の中央３分の１の映像信号を出力する。又、ディスプレイ識別番号３に接続している１０６に映像の右３分の１の映像信号を出力する。
【００６６】
以上により、図５のようにマルチディスプレイの表示を整列することができる。
【００６７】
ここでは、１０２，１０３，１０４の３台が接続した例を示したが、３台に限定するものではない。又、１０２，１０３，１０４がデイジーチェーン接続した例を示したが、１０２，１０３，１０４が直接１０１と接続しても識別番号を１０１に送信できれば構わない。
【００６８】
又、１０２，１０３，１０４が左から順に並んでいる場合を示したが、並び方はこれに限定するものではない。
【００６９】
又、１０５，１０６，１０７に同時に映像信号を出力している例を示したが、同時でなくても構わない。
【図面の簡単な説明】
【００７０】
【図１】マルチディスプレイ表示システムの構成図である。
【図２】マルチディスプレイの表示を整列するためのフローチャート１である。
【図３】マルチディスプレイの表示を整列するためのフローチャート２である。
【図４】マルチディスプレイの表示を整列するためのフローチャート３である。
【図５】表示の整列が完了したマルチディスプレイ表示システムの構成図である。
【符号の説明】
【００７１】
１０１          パソコン
１０２〜１０４  ディスプレイ
１０５〜１０７  映像信号出力インタフェース
１０８          映像配信コントロール手段
１０９          映像信号出力インタフェースと映像表示装置の接続関係認識手段
１１０          映像信号認識手段
１１１          コマンド作成手段
１１２          メモリ
１１３          映像信号受信インタフェース
１１４          データ出力インタフェース
１１５          データ受信インタフェース
【図１】
2006189637.tif 000003
【図２】
2006189637.tif 000004
【図３】
2006189637.tif 000005
【図４】
2006189637.tif 000006
【図５】
2006189637.tif 000007